(57)【要約】【課題】画像に含まれる情報を把握しやすくすることができる画像形成装置を得る。【解決手段】本発明の画像形成装置は、複数の第１のページ画像のそれぞれから部分画像を抽出することにより複数の部分画像を生成する抽出部と、複数の部分画像に基づいて、複数の部分画像に含まれる複数の第１の情報の共通情報を生成する共通情報生成部と、複数の部分画像と、共通情報に対応する共通画像とに基づいて第２のページ画像を生成するページ画像生成部と、第２のページ画像に基づいて画像を形成する画像形成部とを備える。【選択図】図５Ａ
2018121166.tif 000002
【特許請求の範囲】
【請求項１】
複数の第１のページ画像のそれぞれから部分画像を抽出することにより複数の部分画像を生成する抽出部と、
前記複数の部分画像に基づいて、前記複数の部分画像に含まれる複数の第１の情報の共通情報を生成する共通情報生成部と、
前記複数の部分画像と、前記共通情報に対応する共通画像とに基づいて第２のページ画像を生成するページ画像生成部と、
前記第２のページ画像に基づいて画像を形成する画像形成部と
を備えた画像形成装置。
【請求項２】
前記共通情報生成部は、前記複数の部分画像に対して画像解析を行うことにより、前記複数の部分画像から前記複数の第１の情報を抽出し、前記複数の第１の情報に基づいて前記共通情報を生成する
請求項１に記載の画像形成装置。
【請求項３】
前記複数の第１のページ画像とともに、前記複数の第１の情報にそれぞれ対応する複数の第２の情報を前記複数の第１の情報として取得する情報取得部をさらに備え、
前記共通情報生成部は、前記複数の第１の情報に基づいて前記共通情報を生成する
請求項１に記載の画像形成装置。
【請求項４】
前記共通情報に基づいて前記共通画像を生成する共通画像生成部をさらに備えた
請求項２または請求項３に記載の画像形成装置。
【請求項５】
前記複数の第１の情報を情報処理装置に供給することにより、前記情報処理装置から前記共通画像を取得する共通画像取得部をさらに備えた
請求項１から請求項４のいずれか一項に記載の画像形成装置。
【請求項６】
前記複数の第１の情報は、所在地についての情報をそれぞれ含み、
前記共通画像は、各所在地が記載された地図画像である
請求項５に記載の画像形成装置。
【請求項７】
前記ページ画像生成部は、前記複数の部分画像と、前記共通画像とを並べて配置することにより、前記第２のページ画像を生成する
請求項１から請求項６のいずれか一項に記載の画像形成装置。
【請求項８】
前記ページ画像生成部は、前記共通画像に基づいて前記複数の部分画像のうちの少なくとも１つの部分画像を修正し、修正された前記少なくとも１つの部分画像を含む前記複数の部分画像を並べて配置することにより、前記第２のページ画像を生成する
請求項１から請求項６のいずれか一項に記載の画像形成装置。
【請求項９】
前記画像形成部は、記録媒体に画像を形成する
請求項１から請求項８のいずれか一項に記載の画像形成装置。
【請求項１０】
前記画像形成部は、表示画面に画像を形成する
請求項１から請求項８のいずれか一項に記載の画像形成装置。
【請求項１１】
画像形成装置と、
情報処理装置と
を備え、
前記画像形成装置は、
複数の第１のページ画像のそれぞれから部分画像を抽出することにより複数の部分画像を生成する抽出部と、
前記複数の部分画像に含まれる複数の第１の情報を前記情報処理装置に供給することにより、前記情報処理装置から前記複数の第１の情報の共通情報に対応する共通画像を取得する共通画像取得部と、
前記複数の部分画像と、前記共通画像とに基づいて第２のページ画像を生成するページ画像生成部と、
前記第２のページ画像に基づいて画像を形成する画像形成部と
を有し、
前記情報処理装置は、前記複数の第１の情報に基づいて前記共通画像を生成する
画像形成システム。
【請求項１２】
画像形成装置に、複数の第１のページ画像のそれぞれから部分画像を抽出させることにより複数の部分画像を生成させ、
情報処理装置に、前記複数の第１の情報に基づいて、前記複数の第１の情報の共通情報に対応する共通画像を生成させ、
前記画像形成装置に、前記複数の部分画像と、前記共通画像とに基づいて第２のページ画像を生成させて、前記第２のページ画像に基づいて画像を形成させる
画像形成方法。
【発明の詳細な説明】
【技術分野】
【０００１】
本発明は、画像を形成する画像形成装置、そのような画像形成装置を備えた画像形成システム、およびそのような画像形成装置において用いられる画像形成方法に関する。
【背景技術】
【０００２】
画像形成装置では、しばしば、複数のページ画像を１枚の記録媒体に印刷する場合がある。例えば、特許文献１には、複数のページ画像を縮小して１枚の記録媒体に印刷するとともに、ウォーターマークを重ねて印刷する画像形成装置が開示されている。
【先行技術文献】
【特許文献】
【０００３】
【特許文献１】特開２００４−２６０２７３号公報
【発明の概要】
【発明が解決しようとする課題】
【０００４】
ところで、画像形成装置では、画像に含まれる情報を把握しやすいことが望まれており、情報の把握しやすさのさらなる向上が期待されている。
【０００５】
画像に含まれる情報を把握しやすくすることができる画像形成装置、画像形成システム、および画像形成方法を提供することが望ましい。
【課題を解決するための手段】
【０００６】
本発明の一実施の形態における画像形成装置は、抽出部と、共通情報生成部と、ページ画像生成部と、画像形成部とを備えている。抽出部は、複数の第１のページ画像のそれぞれから部分画像を抽出することにより複数の部分画像を生成するものである。共通情報生成部は、複数の部分画像に含まれる複数の第１の情報の共通情報を生成するものである。ページ画像生成部は、複数の部分画像と、共通情報に対応する共通画像とに基づいて第２のページ画像を生成するものである。画像形成部は、第２のページ画像に基づいて画像を形成するものである。
【０００７】
本発明の一実施の形態における画像形成システムは、画像形成装置と、情報処理装置とを備えている。画像形成装置は、抽出部と、共通画像取得部と、ページ画像生成部と、画像形成部とを有している。抽出部は、複数の第１のページ画像のそれぞれから部分画像を抽出することにより複数の部分画像を生成するものである。共通画像取得部は、複数の部分画像に含まれる複数の第１の情報を情報処理装置に供給することにより、情報処理装置から複数の第１の情報の共通情報に対応する共通画像を取得するものである。ページ画像生成部は、複数の部分画像と、共通画像とに基づいて第２のページ画像を生成するものである。画像形成部は、第２のページ画像に基づいて画像を形成するものである。情報処理装置は、複数の第１の情報に基づいて共通画像を生成するものである。
【０００８】
本発明の一実施の形態における画像形成方法は、画像形成装置に、複数の第１のページ画像のそれぞれから部分画像を抽出させることにより複数の部分画像を生成させ、情報処理装置に、複数の第１の情報に基づいて、複数の第１の情報の共通情報に対応する共通画像を生成させ、画像形成装置に、複数の部分画像と、共通画像とに基づいて第２のページ画像を生成させて、第２のページ画像に基づいて画像を形成させるものである。
【発明の効果】
【０００９】
本発明の一実施の形態における画像形成装置、画像形成システム、および画像形成方法によれば、複数の部分画像と、共通画像とに基づいて第２のページ画像を生成するようにしたので、画像に含まれる情報を把握しやすくすることができる。
【図面の簡単な説明】
【００１０】
【図１】一実施の形態に係る情報処理システムの一構成例を表すブロック図である。
【図２】図１に示した多機能周辺装置に供給される不動産情報画像の一例を表す説明図である。
【図３】図１に示した多機能周辺装置の一動作例を表す説明図である。
【図４】図３に示した共通情報画像の一例を表す説明図である。
【図５Ａ】図１に示した多機能周辺装置が生成する不動産情報画像の一例を表す説明図である。
【図５Ｂ】図１に示した多機能周辺装置が生成する不動産情報画像の他の例を表す説明図である。
【図５Ｃ】図１に示した多機能周辺装置が生成する不動産情報画像の他の例を表す説明図である。
【図５Ｄ】図１に示した多機能周辺装置が生成する不動産情報画像の他の例を表す説明図である。
【図６】図１に示した記憶部に記憶されるデータの一例を表す説明図である。
【図７】図６に示した物件詳細情報の一例を表す説明図である。
【図８】図１に示した処理部の一構成例を表すブロック図である。
【図９Ａ】論理ページの一例を表す説明図である。
【図９Ｂ】レイアウト情報の一例を表す説明図である。
【図１０】図１に示した処理部の一動作例を表すフローチャートである。
【図１１】図１０に示した設定処理の一動作例を表すフローチャートである。
【図１２】図１１に示した設定処理における表示画像の一例を表す画像図である。
【図１３】図１０に示した共通物件情報解析の一動作例を表すフローチャートである。
【図１４】図１０に示したレイアウト情報を選択する際の表示画像の一例を表す画像図である。
【図１５】図１４に示した選択部の一表示例を表す説明図である。
【図１６】図１０に示した領域解析の一動作例を表すフローチャートである。
【図１７】図１０に示した画像生成処理の一動作例を表すフローチャートである。
【図１８】プレビュー表示された不動産情報画像の一例を表す説明図である。
【図１９】変形例に係る記憶部に記憶されるデータの一例を表す説明図である。
【図２０】変形例に係る処理部の一構成例を表すブロック図である。
【図２１】他の変形例に係る不動産情報画像の一例を表す説明図である。
【図２２Ａ】他の変形例に係る不動産情報画像の一例を表す説明図である。
【図２２Ｂ】他の変形例に係る不動産情報画像の一例を表す説明図である。
【図２３】他の変形例に係る情報処理システムの一構成例を表すブロック図である。
【発明を実施するための形態】
【００１１】
以下、本発明の実施の形態について、図面を参照して詳細に説明する。
【００１２】
［構成例］
図１は、本発明の一実施の形態に係る画像形成装置が適用された情報処理システム（情報処理システム１）の一構成例を表すものである。情報処理システム１は、複数の不動産業者が取り扱う様々な不動産物件を一括して管理するシステムである。
【００１３】
情報処理システム１は、物件情報サーバ装置９と、物件情報登録装置８と、多機能周辺装置（ＭＦＰ；Multi Function Peripheral）１０と、地図情報サーバ装置７とを有している。物件情報サーバ装置９、物件情報登録装置８、多機能周辺装置１０、および地図情報サーバ装置７は、インターネットＮＥＴに接続されており、インターネットＮＥＴを介して互いに通信可能に構成されている。
【００１４】
物件情報サーバ装置９は、複数の不動産業者が取り扱う様々な不動産物件についての情報（不動産情報ＩＮＦ）を一括して管理するものである。物件情報サーバ装置９は、例えば、日本においては、レインズ（登録商標）システムに用いられるサーバ装置である。物件情報サーバ装置９は、不動産情報ＩＮＦが記憶された不動産情報データベース９ＤＢを有している。物件情報サーバ装置９が管理する不動産情報ＩＮＦは、例えば、物件情報登録装置８により不動産情報データベース９ＤＢに登録される。また、物件情報サーバ装置９は、多機能周辺装置１０から送信された検索キーワードに基づいて、不動産情報データベース９ＤＢに登録された不動産情報ＩＮＦのうちの検索キーワードに該当する不動産情報ＩＮＦを選択し、選択した不動産情報ＩＮＦを多機能周辺装置１０に送信するようになっている。
【００１５】
物件情報登録装置８は、例えば、不動産業者により管理される装置であり、貸したい不動産物件や売りたい不動産物件に係る不動産情報ＩＮＦを物件情報サーバ装置９の不動産情報データベース９ＤＢに登録するものである。物件情報登録装置８は、例えばパーソナルコンピュータや多機能周辺装置などを用いて構成されるものである。
【００１６】
多機能周辺装置１０は、例えば、不動産業者により管理される装置であり、コピー機能、ファックス機能、スキャン機能、プリント機能などを有するものである。また、多機能周辺装置１０は、例えば、物件情報サーバ装置９に対して検索キーワードを送信し、その検索キーワードに基づいて選択された不動産情報ＩＮＦを受信する機能をも有している。そして、多機能周辺装置１０、この不動産情報ＩＮＦに含まれる不動産情報画像Ｐ１に基づいて不動産情報画像Ｐ２を生成し、この不動産情報画像Ｐ２を、紙などの記録媒体に印刷するようになっている。
【００１７】
図２は、不動産情報ＩＮＦに含まれる不動産情報画像Ｐ１の一例を表すものである。不動産情報画像Ｐ１は、物件情報画像Ｐ１１と、業者情報画像Ｐ１２とを含んでいる。物件情報画像Ｐ１１は、例えば、不動産物件の外観写真（図２における情報Ｗ１）、室内の写真、間取り図（情報Ｗ２）、地図（情報Ｗ３）などの画像情報や、価格（賃料、販売価格など）、所在地、最寄駅などの詳細な情報（情報Ｗ４）など、賃貸や売買の対象となる不動産物件についての情報を含んでいる。業者情報画像Ｐ１２は、その不動産情報ＩＮＦを物件情報サーバ装置９に登録した不動産業者の業者名（この例では“Ａ不動産”）、所在地、電話番号などの情報を含んでいる。言い換えれば、業者情報画像Ｐ１２は、例えば、不動産を貸したい人や売りたい人に依頼された不動産業者の情報を含んでいる。
【００１８】
図３は、多機能周辺装置１０の一動作例を表すものであり、（Ａ）は多機能周辺装置１０が受信した不動産情報画像Ｐ１の一例を示し、（Ｂ）は多機能周辺装置１０が生成した不動産情報画像Ｐ２の一例を示し、（Ｃ）は多機能周辺装置１０が生成した不動産情報画像Ｐ２の他の例を示す。この図３では、説明の便宜上、不動産情報画像Ｐ１に含まれる物件情報画像Ｐ１１、および不動産情報画像Ｐ２に含まれる物件情報画像（物件情報画像Ｐ２１）を簡略化して描いている。この例では、多機能周辺装置１０は、予め設定した複数枚（“Ｎ”枚）の不動産情報画像Ｐ１に基づいて、１枚の不動産情報画像Ｐ２を生成している。
【００１９】
図３（Ａ）に示したように、この例では、多機能周辺装置１０は、４枚の不動産情報画像Ｐ１を受信している。不動産情報画像Ｐ１のそれぞれは、物件情報画像Ｐ１１と、業者情報画像Ｐ１２とを含んでいる。４枚の不動産情報画像Ｐ１における４つの物件情報画像Ｐ１１は、互いに異なるものである。すなわち、これらの４つの不動産情報ＩＮＦは、互いに異なる不動産物件に係るものである。４枚の不動産情報画像Ｐ１における４つの業者情報画像Ｐ１２は、例えば、全てが同じ不動産業者に係るものであってもよいし、例えば、一部または全てが互いに異なる不動産業者に係るものであってもよい。多機能周辺装置１０は、この例では、“Ｎ”枚の不動産情報画像Ｐ１に基づいて、１枚の不動産情報画像Ｐ２を生成する。
【００２０】
例えば、図３（Ｂ）の例では、多機能周辺装置１０は、４枚（Ｎ＝４）の不動産情報画像Ｐ１に基づいて、１枚の不動産情報画像Ｐ２を生成している。この不動産情報画像Ｐ２は、４つの物件情報画像Ｐ２１と、１つの業者情報画像Ｐ２２と、１つの共通情報画像Ｐ２３とを含んでいる。
【００２１】
４つの物件情報画像Ｐ２１は、受信した４枚の不動産情報画像Ｐ１の物件情報画像Ｐ１１にそれぞれ対応する画像である。業者情報画像Ｐ２２は、物件情報サーバ装置９から不動産情報ＩＮＦ（不動産情報画像Ｐ１）を取得した不動産業者の業者名（この例では“Ｃ不動産”）、所在地、電話番号などの情報を含んでいる。言い換えれば、業者情報画像Ｐ２２は、不動産を借りたい人や買いたい人に不動産物件を紹介する不動産業者の情報を含んでいる。共通情報画像Ｐ２３は、４つの物件情報画像Ｐ２１（４つの物件情報画像Ｐ１１）が示す物件情報のうちの共通する情報（共通物件情報ＩＣ）を含むものである。
【００２２】
図４は、共通情報画像Ｐ２３の一例を表すものである。この例では、４つの物件情報画像Ｐ２１が示す不動産物件が、全て、“賃貸マンション”であり、間取りが“２ＬＤＫ”であり、家賃は“６５，０００円〜８０，０００円”の範囲内である。よって、この例では、“賃貸マンション”、“２ＬＤＫ”、および“６５，０００円〜８０，０００円”が共通物件情報ＩＣである。共通情報画像Ｐ２３は、このような共通物件情報ＩＣを含んでいる。
【００２３】
この図３（Ｃ）の例では、多機能周辺装置１０は、４つの物件情報画像Ｐ１１に基づいて４つの物件情報画像Ｐ２１をそれぞれ生成する。また、多機能周辺装置１０は、４つの物件情報画像Ｐ１１に基づいて共通物件情報ＩＣを生成し、この共通物件情報ＩＣに基づいて共通情報画像Ｐ２３を生成する。そして、多機能周辺装置１０は、４つの物件情報画像Ｐ２１、１つの業者情報画像Ｐ２２、および１つの共通情報画像Ｐ２３を並べて配置することにより、不動産情報画像Ｐ２を生成している。
【００２４】
また、例えば、図３（Ｃ）の例では、多機能周辺装置１０は、４枚の不動産情報画像Ｐ１に基づいて、２枚の不動産情報画像Ｐ２を生成している。すなわち、多機能周辺装置１０は、２枚（Ｎ＝２）の不動産情報画像Ｐ１に基づいて、１枚の不動産情報画像Ｐ２を生成している。不動産情報画像Ｐ２のそれぞれは、２つの物件情報画像Ｐ２１と、１つの業者情報画像Ｐ２２と、１つの共通情報画像Ｐ２３とを含んでいる。この例では、多機能周辺装置１０は、２つの物件情報画像Ｐ１１に基づいて２つの物件情報画像Ｐ２１をそれぞれ生成する。また、多機能周辺装置１０は、２つの物件情報画像Ｐ１１に基づいて共通物件情報ＩＣを生成し、この共通物件情報ＩＣに基づいて１つの共通情報画像Ｐ２３を生成する。そして、多機能周辺装置１０は、２つの物件情報画像Ｐ２１、１つの業者情報画像Ｐ２２、および１つの共通情報画像Ｐ２３を並べて配置することにより、不動産情報画像Ｐ２を生成している。
【００２５】
なお、この例では、４枚の不動産情報画像Ｐ１を受信したが、例えば１０枚の不動産情報画像Ｐ１を受信した場合には、多機能周辺装置１０は、図３（Ｂ）の例では、３枚の不動産情報画像Ｐ２を生成する。この３枚の不動産情報画像Ｐ２のうちの２枚は、それぞれが４つの物件情報画像Ｐ２１を含むものであり、残りの１枚は、２つの物件情報画像Ｐ２１を含むものである。また、多機能周辺装置１０は、図３（Ｃ）の例では、５枚の不動産情報画像Ｐ２を生成する。この５枚の不動産情報画像Ｐ２のそれぞれは、２つの物件情報画像Ｐ２１を含む５枚の不動産情報画像Ｐ２を含むものである。
【００２６】
図５Ａ〜５Ｄは、多機能周辺装置１０が生成した不動産情報画像Ｐ２の他の例を表すものである。これらの例では、多機能周辺装置１０は、４枚（Ｎ＝４）の不動産情報画像Ｐ１に基づいて、１枚の不動産情報画像Ｐ２を生成する。
【００２７】
図５Ａの例では、不動産情報画像Ｐ２は、４つの物件情報画像Ｐ２１と、１つの業者情報画像Ｐ２２と、１つの地図画像Ｐ２４とを含んでいる。この地図画像Ｐ２４には、４つの物件情報画像Ｐ２１が示す４つの不動産物件の所在地が記載されている。すなわち、この例では、地図画像Ｐ２４は、４つの物件情報画像Ｐ２１が示す不動産物件が、例えば同じエリア内の物件であることを示している。言い換えれば、この例では、不動産物件の所在地が互いに近いことが、共通物件情報ＩＣである。この例では、多機能周辺装置１０は、４つの物件情報画像Ｐ１１に基づいて４つの物件情報画像Ｐ２１をそれぞれ生成する。また、多機能周辺装置１０は、４つの物件情報画像Ｐ１１からから抽出した各不動産物件の所在地についての情報（所在地情報）に基づいて、地図情報サーバ装置７から地図画像Ｐ２４を取得する。そして、多機能周辺装置１０は、４つの物件情報画像Ｐ２１、１つの業者情報画像Ｐ２２、および１つの地図画像Ｐ２４を並べて配置することにより、不動産情報画像Ｐ２を生成する。
【００２８】
図５Ｂの例では、不動産情報画像Ｐ２は、４つの物件情報画像Ｐ２１（Ｐ２１Ａ〜Ｐ２１Ｄ）と、１つの業者情報画像Ｐ２２と、２つの共通情報画像Ｐ２３（Ｐ２３Ａ，Ｐ２３Ｂ）とを含んでいる。４つの物件情報画像Ｐ２１Ａ〜Ｐ２１Ｄは、受信した４枚の不動産情報画像Ｐ１に含まれる４つの物件情報画像Ｐ１１Ａ〜Ｐ１１Ｄにそれぞれ対応している。共通情報画像Ｐ２３Ａは、２つの物件情報画像Ｐ２１Ａ，２１Ｂが示す不動産物件の共通物件情報ＩＣを含み、共通情報画像Ｐ２３Ｂは、２つの物件情報画像Ｐ２１Ｃ，２１Ｄが示す不動産物件の共通物件情報ＩＣを含む。この例では、多機能周辺装置１０は、４つの物件情報画像Ｐ１１に基づいて４つの物件情報画像Ｐ２１をそれぞれ生成する。また、多機能周辺装置１０は、２つの物件情報画像Ｐ１１Ａ，Ｐ１１Ｂに基づいて共通物件情報ＩＣ（共通物件情報ＩＣＡ）を生成し、この共通物件情報ＩＣＡに基づいて共通情報画像Ｐ２３Ａを生成するとともに、２つの物件情報画像Ｐ１１Ｃ，Ｐ１１Ｄに基づいて共通物件情報ＩＣ（共通物件情報ＩＣＢ）を生成し、この共通物件情報ＩＣＢに基づいて共通情報画像Ｐ２３Ｂを生成する。そして、多機能周辺装置１０は、４つの物件情報画像Ｐ２１Ａ〜Ｐ２１Ｄ、１つの業者情報画像Ｐ２２、および２つの共通情報画像Ｐ２３Ａ，Ｐ２３Ｂを並べて配置することにより、不動産情報画像Ｐ２を生成する。
【００２９】
図５Ｃの例では、不動産情報画像Ｐ２は、４つの物件情報画像Ｐ２１と、１つの業者情報画像Ｐ２２と、１つの共通情報画像Ｐ２３と、１つの地図画像Ｐ２４とを含んでいる。  この例では、多機能周辺装置１０は、４つの物件情報画像Ｐ１１に基づいて４つの物件情報画像Ｐ２１をそれぞれ生成する。また、多機能周辺装置１０は、４つの物件情報画像Ｐ１１に基づいて共通物件情報ＩＣを生成し、この共通物件情報ＩＣに基づいて共通情報画像Ｐ２３を生成するとともに、４つの物件情報画像Ｐ１１から抽出した所在地情報に基づいて、地図情報サーバ装置７から地図画像Ｐ２４を取得する。そして、多機能周辺装置１０は、４つの物件情報画像Ｐ２１、１つの業者情報画像Ｐ２２、１つの共通情報画像Ｐ２３、および１つの地図画像Ｐ２４を並べて配置することにより、不動産情報画像Ｐ２を生成する。
【００３０】
図５Ｄの例では、不動産情報画像Ｐ２は、４つの物件情報画像Ｐ２１と、１つの業者情報画像Ｐ２２とを含んでいる。この例では、多機能周辺装置１０は、４つの物件情報画像Ｐ１１に基づいて４つの物件情報画像Ｐ２１をそれぞれ生成する。すなわち、この例では、４つの物件情報画像Ｐ１１が示す不動産物件の共通物件情報ＩＣが無いため、多機能周辺装置１０は、共通情報画像Ｐ２３を生成しない。また、４つの物件情報画像Ｐ１１が示す各不動産物件の所在地が互いに近くないため、地図情報サーバ装置７から地図画像Ｐ２４を取得しない。そして、多機能周辺装置１０は、４つの物件情報画像Ｐ２１および１つの業者情報画像Ｐ２２を並べて配置することにより、不動産情報画像Ｐ２を生成する。
【００３１】
このようにして生成された不動産情報画像Ｐ２は、例えば紙などの記録媒体に印刷され、不動産を借りたい人や買いたい人に提示される。これにより、情報処理システム１では、不動産業者を仲介して、不動産の賃貸や売買をスムースに行うことができる。また、不動産情報画像Ｐ２では、共通物件情報ＩＣに係る共通物件情報画像ＰＣ（共通情報画像Ｐ２３および地図画像Ｐ２４）が配置される。これにより、情報処理システム１では、これらの物件がどのような物件であるかを、不動産を借りたい人や買いたい人が直感的に把握できるようになっている。
【００３２】
なお、この例では、共通物件情報画像ＰＣの一例として、共通情報画像Ｐ２３および地図画像Ｐ２４を挙げたが、これに限定されるものではなく、複数の不動産物件に共通する情報を示すものであればどのようなものであってもよい。例えば、複数の不動産物件が、同じ建物内にある異なる物件である場合には、その建物の外観写真を示す画像が共通物件情報画像ＰＣであってもよい。この場合、例えば、受信した複数の物件情報画像Ｐ１１のうちのいずれかがこの外観写真を示す画像を含む場合には、この画像を共通物件情報画像ＰＣとして用いてもよい。
【００３３】
地図情報サーバ装置７は、多機能周辺装置１０から供給された、不動産物件の所在地情報に基づいて地図画像Ｐ２４を生成し、生成した地図画像Ｐ２４を多機能周辺装置１０に供給するものである。具体的には、地図情報サーバ装置７は、まず、多機能周辺装置１０から複数の不動産物件の所在地情報が供給された場合には、それらの間の距離を求め、求めた距離についての情報を多機能周辺装置１０に供給する。また、多機能周辺装置１０から地図画像Ｐ２４の生成が指示された場合には、それらの複数の不動産物件の所在地が記載された地図画像Ｐ２４を生成し、生成した地図画像Ｐ２４を多機能周辺装置１０に供給するようになっている。
【００３４】
（多機能周辺装置１０）
多機能周辺装置１０（図１）は、ネットワーク通信部１１と、ＦＡＸ通信部１２と、操作部１３と、表示部１４と、画像読取部１５と、画像形成部１６と、不動産情報取得部１７と、記憶部１８と、処理部２０と、制御部１９とを有している。
【００３５】
ネットワーク通信部１１は、ネットワーク通信を行うものであり、例えば、有線ＬＡＮ（Local Area Network）または無線ＬＡＮを用いて図示しないルータに接続され、このルータを介してインターネットＮＥＴに接続される。これにより、ネットワーク通信部１１は、インターネットＮＥＴに接続された他のネットワーク装置との間で通信を行うことができるようになっている。
【００３６】
ＦＡＸ通信部１２は、電話回線を介して通信相手との間でデータを送受信するものである。操作部１３は、ユーザの操作を受け付けるものであり、タッチパネル、各種ボタンなどを用いて構成されるものである。表示部１４は、多機能周辺装置１０の動作状態などを表示するものであり、例えば、液晶ディスプレイを用いて構成されるものである。画像読取部１５は、紙などの読取媒体に印刷された情報を読み取ることにより読取データを生成するものである。画像形成部１６は、紙などの記録媒体に画像を形成するものである。
【００３７】
不動産情報取得部１７は、ネットワーク通信部１１を介して、物件情報サーバ装置９から不動産情報ＩＮＦを取得するものである。具体的には、不動産情報取得部１７は、例えば、操作部１３や表示部１４を用いて、ユーザに、検索キーワードを入力させる。この検索キーワードは、例えば、不動産物件の間取り、価格（賃料、販売価格など）、最寄駅、駅からの距離などであり、不動産を借りたい人や買いたい人の希望を反映したものである。多機能周辺装置１０は、この検索キーワードを、物件情報サーバ装置９に送信し、その検索キーワードに基づいて選択された不動産情報ＩＮＦ（不動産情報画像Ｐ１）を受信する。そして、不動産情報取得部１７は、取得した不動産情報画像Ｐ１を記憶部１８に記憶するようになっている。
【００３８】
記憶部１８は、例えば、一時記憶領域として機能するＲＡＭ（Random Access Memory）や、各種設定情報やファームウェアなどを記憶する不揮発性メモリなどを含んで構成されるものである。
【００３９】
図６は、記憶部１８が記憶する情報の一例を表すものである。記憶部１８は、不動産情報画像Ｐ１と、物件情報画像Ｐ１１と、業者情報画像Ｐ２２と、レイアウト情報ＩＬと、物件詳細情報ＩＤと、共通物件情報ＩＣと、共通情報画像Ｐ２３と、地図画像Ｐ２４とを記憶するものである。
【００４０】
不動産情報画像Ｐ１は、不動産情報取得部１７により物件情報サーバ装置９から取得され、記憶部１８に記憶される。記憶部１８は、この不動産情報画像Ｐ１を複数記憶することができるように構成されている。
【００４１】
物件情報画像Ｐ１１は、不動産情報画像Ｐ１から抽出され、記憶部１８に記憶される。記憶部１８は、この物件情報画像Ｐ１１を複数記憶することができるように構成されている。
【００４２】
業者情報画像Ｐ２２は、例えば、図示しないパーソナルコンピュータにより作成され、この記憶部１８に記憶される。なお、これに限定されるものではなく、業者情報画像Ｐ２２は、例えば、業者情報画像Ｐ２２が印刷された読取媒体から画像読取部１５により読み取られてもよい。また、業者情報画像Ｐ２２は、例えば、不動産情報画像Ｐ１から抽出された業者情報画像Ｐ１２であってもよい。記憶部１８は、この業者情報画像Ｐ２２を複数記憶することができるように構成されている。具体的には、例えば、例えば図３（Ｂ）に示したように、横向きの論理ページＬＰに配置するための業者情報画像Ｐ２２と、図３（Ｃ）に示したように、縦向きの論理ページＬＰに配置するための業者情報画像Ｐ２２とを準備してもよい。そして、多機能周辺装置１０では、ユーザからの指示に基づいて、記憶部１８に記憶された複数の業者情報画像Ｐ２２から、使用する業者情報画像Ｐ２２を選択することができるようになっている。
【００４３】
レイアウト情報ＩＬは、図３（Ｂ），（Ｃ）および図５Ａ〜５Ｄに示したように、不動産情報画像Ｐ２における、物件情報画像Ｐ２１、業者情報画像Ｐ２２、および共通物件情報画像ＰＣ（共通情報画像Ｐ２３および地図画像Ｐ２４）の配置を示す情報である。レイアウト情報ＩＬは、例えば、図示しないパーソナルコンピュータにより作成され、この記憶部１８に記憶される。記憶部１８は、このレイアウト情報ＩＬを複数記憶することができるように構成されている。
【００４４】
物件詳細情報ＩＤは、各物件情報画像Ｐ１１に対してパターン認識処理を行うことにより、各物件情報画像Ｐ１１から抽出された詳細情報である。
【００４５】
図７は、物件詳細情報ＩＤの一例を表すものである。この例では、４つの物件情報画像Ｐ１１（４つの不動産物件Ａ１〜Ａ４）から抽出された詳細情報を示している。物件詳細情報ＩＤは、例えば、“物件種別”、“間取りタイプ”、“価格”（賃料、販売価格など）、“所在地”、“地図の有無”などを含んでいる。“物件種別”は、例えば、賃貸マンション、賃貸一戸建て、分譲マンションなどである。“間取りタイプ”は、例えば、“２ＬＤＫ”、“１Ｒ（ワンルーム）”などである。“地図の有無”は、物件情報画像Ｐ１１に地図画像が含まれているかどうかを示すものである。この例では、４つの不動産物件Ａ１〜Ａ４の物件種別は、ともに“賃貸マンション”であり、間取りタイプは、ともに“２ＬＤＫ”である。また、４つの不動産物件Ａ１〜Ａ４の賃料は、あらかじめ決められた所定の範囲“６５，０００円〜８０，０００円”の範囲内である。なお、この例では、不動産物件Ａ１に係る物件情報画像Ｐ１１には、地図が含まれており、不動産物件Ａ２〜Ａ３に係る物件情報画像Ｐ１１には地図が含まれていない。
【００４６】
共通物件情報ＩＣは、１枚の不動産情報画像Ｐ２（１ページの論理ページＬＰ）に含まれる物件情報画像Ｐ２１が示す物件情報のうちの共通する情報であり、物件詳細情報ＩＤに基づいて生成されるものである。また、共通物件情報ＩＣは、不動産物件の所在地が互いに近い場合には、所在地が互いに近いことを示す情報も含んでいる。物件詳細情報ＩＤが図７に示したものである場合には、共通物件情報ＩＣは、“賃貸マンション”、“２ＬＤＫ”、および“６５，０００円〜８０，０００円”を含んでいる。
【００４７】
共通物件情報画像ＰＣは、共通情報画像Ｐ２３と、地図画像Ｐ２４とを含んでいる。共通情報画像Ｐ２３は、共通物件情報ＩＣに基づいて生成されるものであり、例えば、図４に示したような画像である。地図画像Ｐ２４は、各不動産物件の所在地が互いに近い場合に、物件情報画像Ｐ１１から抽出した所在地情報に基づいて、地図情報サーバ装置７から取得したものである。
【００４８】
処理部２０（図１）は、不動産情報画像Ｐ１に基づいて、不動産情報画像Ｐ２を生成するものである。
【００４９】
図８は、処理部２０の一構成例を表すものである。処理部２０は、設定部２１と、画像抽出部２２と、領域解析部２３と、画像生成部２４と、処理制御部２５とを有している。なお、この図８には、処理部２０に加えて制御部１９をも描いている。
【００５０】
設定部２１は、不動産情報画像Ｐ２を生成するための設定処理を行うものである。設定部２１は、論理ページサイズ選択部２１１と、画像数設定部２１２と、業者情報画像選択部２１３と、レイアウト情報選択部２１４と、共通情報解析設定部２１５とを有している。論理ページサイズ選択部２１１は、ユーザからの指示に基づいて、論理ページＬＰのサイズを選択するものである。具体的には、論理ページサイズ選択部２１１は、ユーザからの指示に基づいて、例えば“Ａ４”，“Ａ５”，“Ｂ４”，“Ｂ５”などのうちの１つを選択するようになっている。画像数設定部２１２は、ユーザからの指示に基づいて、１枚の不動産情報画像Ｐ２（１ページの論理ページＬＰ）に含まれる物件情報画像Ｐ２１の画像数Ｎを設定するものである。業者情報画像選択部２１３は、ユーザからの指示に基づいて、記憶部１８に記憶された複数の業者情報画像Ｐ２２から、使用する業者情報画像Ｐ２２を選択するものである。レイアウト情報選択部２１４は、ユーザからの指示に基づいて、記憶部１８に記憶された複数のレイアウト情報ＩＬのうち、使用するレイアウト情報ＩＬを選択するものである。共通情報解析設定部２１５は、ユーザからの指示に基づいて、共通物件情報解析の解析条件を設定するものである。
【００５１】
画像抽出部２２は、画像抽出処理を行うことにより、不動産情報画像Ｐ１から物件情報画像Ｐ１１を抽出するとともに、共通物件情報解析を行うことにより共通物件情報ＩＣを生成するものである。画像抽出部２２は、物件情報画像抽出部２２１と、パターン認識部２２２と、共通物件情報生成部２２３とを有している。物件情報画像抽出部２２１は、不動産情報画像Ｐ１から物件情報画像Ｐ１１を抽出するものである。パターン認識部２２２は、物件情報画像抽出部２２１が抽出した物件情報画像Ｐ１１に対してパターン認識処理を行うことにより、物件詳細情報ＩＤを抽出するものである。共通物件情報生成部２２３は、物件詳細情報ＩＤに基づいて共通物件情報ＩＣを生成するものである。また、共通物件情報生成部２２３は、物件詳細情報ＩＤに含まれる各不動産物件の所在地情報を地図情報サーバ装置７に供給し、地図情報サーバ装置７から、それらの所在地の間の距離についての情報を取得する。そして、共通物件情報生成部２２３は、それらの所在地が互いに近い場合には、所在地が互いに近いことを示す共通物件情報ＩＣを生成するとともに、地図情報サーバ装置７に対して、それらの所在地が記載された地図画像Ｐ２４の生成を指示し、地図情報サーバ装置７から地図画像Ｐ２４を取得する機能をも有している。
【００５２】
領域解析部２３は、レイアウト情報選択部２１４が選択したレイアウト情報ＩＬに基づいて、領域解析を行うものである。
【００５３】
図９Ａは、論理ページＬＰにおける、レイアウトの一例を表すものである。図９Ｂは、図３（Ｂ）の例におけるレイアウトの一例を表すものである。図９Ａに示したように、論理ページＬＰには、出力ページ領域ＲＰが設けられる。出力ページ領域ＲＰは、実際に画像を配置する領域であり、画像が形成されない、周囲のいわゆる余白領域を考慮して設定される。出力ページ領域ＲＰは、物件情報領域Ｒ１および業者情報領域Ｒ２を含んでいる。この例では、物件情報領域Ｒ１および業者情報領域Ｒ２は、図９Ａにおける縦方向に並んで配置されている。物件情報領域Ｒ１は、図９Ｂに示したように、５つの領域Ｒ１０〜Ｒ１４を含んでいる。領域Ｒ１０は、共通情報画像Ｐ２３が配置される領域であり、４つの領域Ｒ１１〜Ｒ１４は、４つの物件情報画像Ｐ２１がそれぞれ配置される領域である。業者情報領域Ｒ２は、業者情報画像Ｐ２２が配置される領域である。
【００５４】
領域解析部２３は、出力ページ領域解析部２３１と、業者情報領域解析部２３２と、物件情報領域解析部２３３とを有している。出力ページ領域解析部２３１は、論理ページＬＰにおける出力ページ領域ＲＰを解析するものである。業者情報領域解析部２３２は、業者情報領域Ｒ２を解析するものである。物件情報領域解析部２３３は、物件情報領域Ｒ１を解析するとともに、物件情報領域Ｒ１に含まれる各領域（図９Ｂの例では領域Ｒ１０〜Ｒ１４）を解析するものである。
【００５５】
画像生成部２４は、画像生成処理を行うことにより不動産情報画像Ｐ２を生成するものである。画像生成部２４は、共通情報画像生成部２４１と、画像編集部２４２と、画像配置部２４３と、プレビュー処理部２４４とを有している。共通情報画像生成部２４１は、不動産情報画像Ｐ２に共通情報画像Ｐ２３（例えば図４）を配置する場合に、共通物件情報ＩＣに基づいて、共通情報画像Ｐ２３を配置する領域（図９Ｂの例では領域Ｒ１０）の形状および大きさに応じた形状および大きさを有する共通情報画像Ｐ２３を生成するものである。画像編集部２４２は、画像抽出部２２が抽出した物件情報画像Ｐ１１に対して、物件情報画像Ｐ２１を配置する領域（図９Ｂの例では領域Ｒ１１〜Ｒ１４）の形状および大きさに応じて、例えば、拡大処理、縮小処理、回転処理などの画像編集処理を行うことにより、物件情報画像Ｐ２１を生成するものである。また、画像編集部２４２は、業者情報画像Ｐ２２に対して、業者情報領域Ｒ２の形状および大きさに応じて画像編集処理を行う。また、不動産情報画像Ｐ２に地図画像Ｐ２４を配置する場合には、画像編集部２４２は、地図画像Ｐ２４に対して、地図画像Ｐ２４を配置する領域の形状および大きさに応じて画像編集処理を行う機能をも有している。画像配置部２４３は、画像編集部２４２が編集した画像を、選択したレイアウト情報ＩＬに従って、論理ページＬＰに並べて配置することにより、不動産情報画像Ｐ２を生成するものである。プレビュー処理部２４４は、画像配置部２４３による画像の配置結果を、表示部１４にプレビュー表示させるものである。
【００５６】
処理制御部２５は、設定部２１、画像抽出部２２、領域解析部２３、および画像生成部２４の動作を制御するものである。
【００５７】
この構成により、処理部２０は、不動産情報画像Ｐ１に基づいて、不動産情報画像Ｐ２を生成するようになっている。この処理部２０における処理は、例えば、ハードウェアにより実現してもよいし、ソフトウェアによって実現してもよい。
【００５８】
制御部１９は、多機能周辺装置１０の動作を制御するものである。具体的には、例えば、プリント動作を行う場合には、制御部１９は、画像形成部１６に、ネットワーク通信部１１が受信した印刷データに基づいて画像形成動作を行わせる。また、例えば、スキャン動作を行う場合には、制御部１９は、画像読取部１５に読取動作を行わせることにより読取データを生成させる。また、例えば、コピー動作を行う場合には、制御部１９は、画像読取部１５に読取動作を行わせることにより読取データを生成させ、画像形成部１６に、その読取データに基づいて画像形成動作を行わせる。また、例えば、ＦＡＸ送信を行う場合には、制御部１９は、画像読取部１５に読取動作を行わせることにより読取データを生成させ、ＦＡＸ通信部１２にその読取データを送信させる。
【００５９】
また、制御部１９は、不動産情報画像Ｐ２を印刷する場合には、まず、不動産情報取得部１７に不動産情報ＩＮＦを取得させ、記憶部１８にその不動産情報ＩＮＦ（不動産情報画像Ｐ１）を記憶させる。そして、制御部１９は、処理部２０に、不動産情報画像Ｐ１に基づいて不動産情報画像Ｐ２を生成させ、画像形成部１６に、その不動産情報画像Ｐ２に基づいて記録媒体に画像を形成させる。
【００６０】
この制御部１９における処理は、例えば、ハードウェアにより実現してもよいし、ソフトウェアによって実現してもよい。
【００６１】
ここで、多機能周辺装置１０は、本発明における「画像形成装置」の一具体例に対応する。画像抽出部２２は、本発明における「抽出部」の一具体例に対応する。パターン認識部２２２および共通物件情報生成部２２３は、本発明における「共通情報生成部」の一具体例に対応する。共通情報画像生成部２４１は、本発明における「共通画像生成部」の一具体例に対応する。共通物件情報生成部２２３は、本発明における「共通画像取得部」の一具体例に対応する。画像生成部２４は、本発明における「ページ画像生成部」の一具体例に対応する。不動産情報画像Ｐ１は、本発明における「第１のページ画像」の一具体例に対応する。不動産情報画像Ｐ２は、本発明における「第２のページ画像」の一具体例に対応する。物件情報画像Ｐ１１は、本発明における「部分画像」の一具体例に対応する。共通物件情報ＩＣは、本発明における「共通情報」の一具体例に対応する。共通物件情報画像ＰＣは、本発明における「共通画像」の一具体例に対応する。地図情報サーバ装置７は、本発明における「情報処理装置」の一具体例に対応する。
【００６２】
［動作および作用］
続いて、本実施の形態の情報処理システム１の動作および作用について説明する。
【００６３】
（全体動作概要）
まず、図１を参照して、多機能周辺装置１０の全体動作概要を説明する。例えば、プリント動作を行う場合には、ネットワーク通信部１１が印刷データを受信し、画像形成部１６が、この印刷データに基づいて記録媒体に画像を形成する。また、例えば、コピー動作を行う場合には、画像読取部１５は、読取媒体に印刷された情報を読み取ることにより読取データを生成し、画像形成部１６は、その読取データに基づいて記録媒体に画像を形成する。
【００６４】
また、例えば、不動産情報画像Ｐ２を印刷する場合には、まず、不動産情報取得部１７は、例えば、操作部１３や表示部１４を用いて、ユーザに検索キーワードを入力させ、ネットワーク通信部１１は、この検索キーワードを、物件情報サーバ装置９に送信する。物件情報サーバ装置９は、その検索キーワードに基づいて不動産情報ＩＮＦを選択し、選択した不動産情報ＩＮＦを多機能周辺装置１０に送信する。多機能周辺装置１０のネットワーク通信部１１は、不動産情報ＩＮＦ（不動産情報画像Ｐ１）を受信し、記憶部１８は、不動産情報画像Ｐ１を記憶する。処理部２０は、不動産情報画像Ｐ１に基づいて不動産情報画像Ｐ２を生成する。そして、画像形成部１６は、その不動産情報画像Ｐ２に基づいて記録媒体に画像を形成する。
【００６５】
（詳細動作）
次に、処理部２０における、不動産情報画像Ｐ１に基づいて不動産情報画像Ｐ２を生成する動作について、詳細に説明する。
【００６６】
図１０は、処理部２０の一動作例を表すものである。処理部２０は、記憶部１８に記憶された不動産情報画像Ｐ１、業者情報画像Ｐ２２、およびレイアウト情報ＩＬに基づいて、不動産情報画像Ｐ２を生成する。以下に、この動作について詳細に説明する。
【００６７】
まず、設定部２１は、不動産情報画像Ｐ２の生成に先立ち、設定処理を行う（ステップＳ１０１）。
【００６８】
（設定処理）
図１１は、設定処理の一例を表すものである。設定部２１は、ユーザからの指示に基づいて、論理ページＬＰのサイズ、画像数Ｎ、使用する業者情報画像Ｐ２２、および共通物件情報解析の解析条件を設定する。以下に、これらの処理について詳細に説明する。
【００６９】
まず、設定部２１の論理ページサイズ選択部２１１は、ユーザからの指示に基づいて、論理ページＬＰのサイズを選択する（ステップＳ１１１）。具体的には、論理ページサイズ選択部２１１は、ユーザからの指示に基づいて、不動産情報画像Ｐ２を印刷する記録媒体のサイズ（例えば“Ａ４”など）を選択する。
【００７０】
次に、設定部２１の画像数設定部２１２は、ユーザからの指示に基づいて、１枚の不動産情報画像Ｐ２（１ページの論理ページＬＰ）に含まれる物件情報画像Ｐ２１の画像数Ｎを設定する（ステップＳ１１２）。
【００７１】
次に、設定部２１の業者情報画像選択部２１３は、ユーザからの指示に基づいて、使用する業者情報画像Ｐ２２を選択する（ステップＳ１１３）。
【００７２】
次に、設定部２１の共通情報解析設定部２１５は、ユーザからの指示に基づいて、共通物件情報解析の解析条件を設定する（ステップＳ１１４）。
【００７３】
図１２は、ステップＳ１１３，Ｓ１１４において表示部１４に表示される表示画像３００の一例を表すものである。表示画像３００には、設定部３０１，３０２と、“ＯＫ”ボタン３０３と、“キャンセル”ボタン３０４とが配置されている。
【００７４】
設定部３０１は、記憶部１８に記憶された複数の業者情報画像Ｐ２２から使用する業者情報画像Ｐ２２を選択する場合に、ユーザが操作するものである。設定部３０１には、選択ボタンが設けられている。ユーザがこの選択ボタンを操作することにより、記憶部１８に選択された記憶された複数の業者情報画像Ｐ２２の一覧が表示部１４に表示される。そして、ユーザがその複数の業者情報画像Ｐ２２のうちの１つを選択すると、この設定部３０１に、選択された業者情報画像Ｐ２２が表示される。
【００７５】
設定部３０２は、共通物件情報解析の解析条件を設定する場合に、ユーザが操作するものである。設定部３０２には、チェックボックスが設けられている。このチェックボックスにチェックを入れることにより、共通物件情報解析は“有効”に設定され、チェックボックスからチェックを外すことにより、共通物件情報解析は“無効”に設定される。また、設定部３０２では、共通物件情報解析が“有効”に設定された場合には、各不動産物件の所在地が互いに近いかどうかを判定するための判定距離を設定できるようになっている。この例では、判定距離は、５ｋｍに設定されている。これにより、各不動産物件の所在地間の距離が５ｋｍ以内である場合に、処理部２０は、これらの不動産物件が互いに近いと判断して、地図情報サーバ装置７に対して、各所在地が記載された地図画像Ｐ２４（図５Ａ）の生成を指示する。
【００７６】
“ＯＫ”ボタン３０３は、この設定部３０１，３０２における設定を有効にするためのボタンであり、“キャンセル”ボタン３０４は、この設定部３０１，３０２における設定をキャンセルするためのボタンである。
【００７７】
このような表示画像３００を用いて、業者情報画像選択部２１３は、使用する業者情報画像Ｐ２２を選択し（ステップＳ１１３）、共通情報解析設定部２１５は、共通物件情報解析の解析条件を設定する（ステップＳ１１４）。
【００７８】
以上で、図１１に示した設定処理（図１０におけるステップＳ１０１）は終了する。
【００７９】
次に、図１０に示したように、画像抽出部２２の物件情報画像抽出部２２１は、記憶部１８に記憶された複数の不動産情報画像Ｐ１のうちの１枚の不動産情報画像Ｐ１から、物件情報画像Ｐ１１を抽出する（ステップＳ１０２）。言い換えれば、物件情報画像抽出部２２１は、不動産情報画像Ｐ１に含まれる業者情報画像Ｐ１２を切り捨てる。そして、物件情報画像抽出部２２１は、抽出した物件情報画像Ｐ１１を記憶部１８に記憶する。
【００８０】
次に、画像抽出部２２は、論理ページＬＰの１ページ分の不動産情報画像Ｐ１を抽出したか否かを確認する（ステップＳ１０３）。論理ページＬＰの１ページ分の不動産情報画像Ｐ１をまだ抽出していない場合（ステップＳ１０３において“Ｎ”）には、ステップＳ１０２に戻り、全ての不動産情報画像Ｐ１を抽出するまで、ステップＳ１０２，Ｓ１０３を繰り返す。
【００８１】
ステップＳ１０３において、論理ページＬＰの１ページ分の不動産情報画像Ｐ１をすでに抽出した場合（ステップＳ１０３において“Ｙ”）には、画像抽出部２２は、共通物件情報解析を行う（ステップＳ１０４）。
【００８２】
（共通物件情報解析）
図１３は、共通物件情報解析の一例を表すものである。画像抽出部２２のパターン認識部２２２は、物件情報画像Ｐ１１に対してパターン認識処理を行うことにより、物件詳細情報ＩＤを抽出し、共通物件情報生成部２２３は、この物件詳細情報ＩＤに基づいて共通物件情報ＩＣを生成するとともに、地図情報サーバ装置７から地図画像Ｐ２４を取得する。以下に、これらの処理について詳細に説明する。
【００８３】
まず、画像抽出部２２は、共通物件情報解析が“有効”であるか否かを確認する（ステップＳ１２１）。具体的には、画像抽出部２２は、ステップＳ１１４（図１１，１２）において設定された結果に基づいて、共通物件情報解析が“有効”であるか否かを確認する。共通物件情報解析が“無効”である場合（ステップＳ１２１において“Ｎ”）には、このサブルーチンは終了する。
【００８４】
ステップＳ１２１において、共通物件情報解析が“有効”である場合（ステップＳ１２１において“Ｙ”）には、画像抽出部２２のパターン認識部２２２は、ステップＳ１０２（図１０）において物件情報画像抽出部２２１が抽出した物件情報画像Ｐ１１に対してパターン認識処理を行うことにより、物件詳細情報ＩＤを抽出する（ステップＳ１２２）。具体的には、まず、パターン認識部２２２は、物件情報画像Ｐ１１に対してパターン認識処理を行うことにより、例えば、外観写真、室内の写真、間取り図、地図、詳細な情報を記載した表などのうちのどの情報を含んでいるかを、大まかに判別する。これにより、パターン認識部２２２は、例えば、地図を含んでいるか否かを把握することができる。そして、パターン認識部２２２は、例えば、詳細な情報を記載した表に対してＯＣＲ（Optical Character Recognition）処理を行うことにより、これらの詳細な情報を取得する。パターン認識部２２２は、これらの処理結果に基づいて、物件詳細情報ＩＤを生成する。そして、パターン認識部２２２は、物件詳細情報ＩＤを記憶部１８に記憶する。
【００８５】
次に、画像抽出部２２は、論理ページＬＰの１ページ分の物件情報画像Ｐ１１から物件詳細情報ＩＤを抽出したか否かを確認する（ステップＳ１２３）。論理ページＬＰの１ページ分の物件情報画像Ｐ１１から物件詳細情報ＩＤをまだ抽出していない場合（ステップＳ１２３において“Ｎ”）には、ステップＳ１２２に戻り、全ての物件情報画像Ｐ１１から物件詳細情報ＩＤを抽出するまで、ステップＳ１２２，Ｓ１２３を繰り返す。
【００８６】
ステップＳ１２３において、論理ページＬＰの１ページ分の物件情報画像Ｐ１１から物件詳細情報ＩＤをすでに抽出した場合（ステップＳ１２３において“Ｙ”）には、画像抽出部２２の共通物件情報生成部２２３は、物件詳細情報ＩＤに基づいて、共通物件情報ＩＣを生成する（ステップＳ１２４）。そして、共通物件情報生成部２２３は、この共通物件情報ＩＣを記憶部１８に記憶する。
【００８７】
次に、画像抽出部２２の共通物件情報生成部２２３は、物件詳細情報ＩＤに含まれる各不動産物件の所在地情報を地図情報サーバ装置７に供給し、地図情報サーバ装置７から、各不動産物件の所在地の間の距離についての情報を取得する（ステップＳ１２５）。
【００８８】
次に、画像抽出部２２の共通物件情報生成部２２３は、各不動産物件の所在地が互いに近いかどうかを確認する（ステップＳ１２６）。具体的には、共通物件情報生成部２２３は、各不動産物件の所在地の間の距離が、ステップＳ１１４（図１２）において設定した距離以内である場合には、各不動産物件の所在地が互いに近いと判断する。所在地が互いに近くない場合（ステップＳ１２６において“Ｎ”）には、このサブルーチンは終了する。
【００８９】
ステップＳ１２６において、各不動産物件の所在地が互いに近い場合（ステップＳ１２６において“Ｙ”）には、共通物件情報生成部２２３は、所在地が互いに近いことを示す共通物件情報ＩＣを生成するとともに、地図情報サーバ装置７に対して、それらの所在地が記載された地図画像Ｐ２４の生成を指示し、地図情報サーバ装置７から地図画像Ｐ２４を受け取る（ステップＳ１２７）。そして、共通物件情報生成部２２３は、この地図画像Ｐ２４を記憶部１８に記憶する。
【００９０】
以上で、図１３に示した共通物件情報解析（図１０におけるステップＳ１０４）は終了する。
【００９１】
次に、図１０に示したように、設定部２１のレイアウト情報選択部２１４は、ユーザからの指示に基づいて、レイアウト情報ＩＬを選択する（ステップＳ１０５）。
【００９２】
図１４は、ステップＳ１０５において表示部１４に表示される表示画像３１０の一例を表すものである。表示画像３１０には、選択部３１１と、プレビュー表示部３１２と、“ＯＫ”ボタン３１３と、“キャンセル”ボタン３１４とが配置されている。
【００９３】
選択部３１１は、記憶部１８に記憶された複数のレイアウト情報ＩＬのうち、使用するレイアウト情報ＩＬを選択する場合に、ユーザが操作するものである。この例では、図１５に示したように４つのレイアウト３１５〜３１８が表示されている。これらのレイアウト３１５〜３１８は、互いに異なるレイアウト情報ＩＬに対応している。この例では、これらの４つのレイアウト３１５〜３１８のうち、レイアウト３１６，３１８は、ユーザが選択できないようになっている。すなわち、この例では、ステップＳ１２６（図１３）において、各不動産物件の所在地が互いに近くないので、共通物件情報生成部２２３は、地図情報サーバ装置７から地図画像Ｐ２４を取得していない。よって、この例では、ユーザは、地図画像Ｐ２４を含むレイアウト３１６，３１８を選択できないようになっている。なお、ステップＳ１２６（図１３）において、各不動産物件の所在地が互いに近い場合には、ステップＳ１２７において共通物件情報生成部２２３は、地図情報サーバ装置７から地図画像Ｐ２４を取得するため、ユーザは、このレイアウト３１６，３１８を選択することができる。
【００９４】
プレビュー表示部３１２は、選択部３１１において選択されたレイアウト情報ＩＬに基づいて、プレビュー表示を行うものである。このプレビュー表示については、ステップＳ１０９において説明する。すなわち、処理部２０は、選択部３１１において選択されたレイアウト情報ＩＬに基づいて、これ以降に説明する処理を行うことにより不動産情報画像Ｐ２を生成する。そして、このプレビュー表示部３１２が、生成した不動産情報画像Ｐ２に基づいてプレビュー表示を行う。
【００９５】
次に、図１０に示したように、処理部２０の領域解析部２３は、領域解析を行う（ステップＳ１０６）。
【００９６】
（領域解析）
図１６は、領域解析の一例を表すものである。領域解析部２３は、ステップＳ１１１（図１１）において選択した論理ページＬＰのサイズ、およびステップＳ１０５（図１０）において選択したレイアウト情報ＩＬに基づいて、出力ページ領域ＲＰ、業者情報領域Ｒ２、および物件情報領域Ｒ１を解析する。以下に、この処理について詳細に説明する。
【００９７】
まず、領域解析部２３の出力ページ領域解析部２３１は、論理ページＬＰのサイズおよびレイアウト情報ＩＬに基づいて、出力ページ領域ＲＰを解析する（ステップＳ１３１）。具体的には、出力ページ領域解析部２３１は、論理ページＬＰのサイズ、および出力ページ領域ＲＰの配置位置（座標）、幅、高さ、回転角などのパラメータに基づいて、記録媒体のサイズに応じた数値を取得することにより、出力ページ領域ＲＰを解析する。
【００９８】
次に、領域解析部２３の業者情報領域解析部２３２は、出力ページ領域ＲＰおよびレイアウト情報ＩＬに基づいて、業者情報領域Ｒ２を解析する（ステップＳ１３２）。
【００９９】
次に、領域解析部２３の物件情報領域解析部２３３は、出力ページ領域ＲＰから業者情報領域Ｒ２を除いた領域を物件情報領域Ｒ１とする（ステップＳ１３３）。
【０１００】
次に、領域解析部２３の物件情報領域解析部２３３は、物件情報領域Ｒ１およびレイアウト情報ＩＬに基づいて、物件情報領域Ｒ１に含まれる、物件情報画像Ｐ２１を配置する領域を解析する（ステップＳ１３４）。例えば、図３（Ｂ）の例では、物件情報領域解析部２３３は、図９Ｂに示したように、４つの領域Ｒ１１〜Ｒ１４を解析する。
【０１０１】
次に、領域解析部２３は、レイアウト情報ＩＬが共通物件情報画像ＰＣを配置するレイアウトであるかどうかを確認する（ステップＳ１３５）。レイアウト情報ＩＬが共通物件情報画像ＰＣを配置するレイアウトではない場合（ステップＳ１３５において“Ｎ”）には、このサブルーチンは終了する。
【０１０２】
ステップＳ１３５において、レイアウト情報ＩＬが共通物件情報画像ＰＣを配置するレイアウトである場合（ステップＳ１３５において“Ｙ”）には、領域解析部２３の物件情報領域解析部２３３は、物件情報領域Ｒ１およびレイアウト情報ＩＬに基づいて、物件情報領域Ｒ１に含まれる、共通物件情報画像ＰＣを配置する領域を解析する（ステップＳ１３６）。例えば、図３（Ｂ）の例では、物件情報領域解析部２３３は、図９Ｂに示したように、領域Ｒ１０を解析する。
【０１０３】
以上で、図１６に示した領域解析（図１０におけるステップＳ１０６）は終了する。
【０１０４】
次に、図１０に示したように、処理部２０の画像生成部２４は、画像生成処理を行う（ステップＳ１０７）。
【０１０５】
（画像生成処理）
図１７は、画像生成処理の一例を表すものである。画像生成部２４は、ステップＳ１０２（図１０）において抽出した物件情報画像Ｐ１１のそれぞれに対して画像編集処理を行うことにより物件情報画像Ｐ２１を生成するとともに、ステップＳ１１３（図１１）において選択した業者情報画像Ｐ２２に対して画像編集処理を行う。また、共通情報画像Ｐ２３を配置する場合には、画像生成部２４は、共通情報画像Ｐ２３を生成する。また、地図画像Ｐ２４を配置する場合には、画像生成部２４は、地図画像Ｐ２４に対して画像編集処理を行う。以下に、この処理について詳細に説明する。
【０１０６】
まず、画像生成部２４の画像編集部２４２は、ステップＳ１０２（図１０）において抽出した物件情報画像Ｐ１１に対して画像編集処理を行うことにより物件情報画像Ｐ２１を生成し、画像生成部２４の画像配置部２４３は、その物件情報画像Ｐ２１を論理ページＬＰにおける物件情報領域Ｒ１に配置する（ステップＳ１４１）。例えば、図３（Ｂ）の例では、画像編集部２４２は、４つの領域Ｒ１１〜Ｒ１４（図９Ｂ）の形状および大きさに応じて、物件情報画像Ｐ１１に対して拡大処理、縮小処理、回転処理などを行う。
【０１０７】
次に、画像生成部２４は、論理ページＬＰの１ページ分の物件情報画像Ｐ２１を配置したか否かを確認する（ステップＳ１４２）。論理ページＬＰの１枚分の物件情報画像Ｐ２１をまだ配置していない場合（ステップＳ１４２において“Ｎ”）には、ステップＳ１４１に戻り、全ての物件情報画像Ｐ２１を配置するまでステップＳ１４１，Ｓ１４２を繰り返す。
【０１０８】
ステップＳ１４２において、論理ページＬＰの１枚分の物件情報画像Ｐ２１をすでに配置した場合（ステップＳ１４２において“Ｙ”）には、画像編集部２４２は、ステップＳ１１３（図１１）において選択した業者情報画像Ｐ２２に対して画像編集処理を行い、画像配置部２４３は、画像編集処理が施された業者情報画像Ｐ２２を論理ページＬＰにおける業者情報領域Ｒ２に配置する（ステップＳ１４３）。この場合も、画像編集部２４２は、業者情報領域Ｒ２の形状および大きさに応じて、業者情報画像Ｐ２２に対して拡大処理、縮小処理、回転処理などを行う。
【０１０９】
次に、画像生成部２４は、レイアウト情報ＩＬが共通物件情報画像ＰＣを配置するレイアウトであるかどうかを確認する（ステップＳ１４４）。レイアウト情報ＩＬが共通物件情報画像ＰＣを配置するレイアウトではない場合（ステップＳ１４４において“Ｎ”）には、このサブルーチンは終了する。
【０１１０】
ステップＳ１４４において、レイアウト情報ＩＬが共通物件情報画像ＰＣを配置するレイアウトである場合（ステップＳ１４４において“Ｙ”）には、画像生成部２４は、共通物件情報画像ＰＣを論理ページＬＰに配置する（ステップＳ１４５）。具体的には、例えば、図３（Ｂ）の例では、共通情報画像Ｐ２３を配置する場合には、共通情報画像生成部２４１は、共通物件情報ＩＣに基づいて、共通情報画像Ｐ２３を配置する領域（図９Ｂに示した領域Ｒ１０）の形状および大きさに応じた形状および大きさを有する共通情報画像Ｐ２３を生成し、画像配置部２４３は、この領域に共通情報画像Ｐ２３を配置する。同様に、例えば、図５Ａの例では、画像編集部２４２は、地図画像Ｐ２４に対して、地図画像Ｐ２４を配置する領域の形状および大きさに応じて画像編集処理を行い、画像配置部２４３は、画像編集処理が施された地図画像Ｐ２４をその領域に配置する。
【０１１１】
以上で、図１７に示した画像生成処理（図１０におけるステップＳ１０７）は終了する。このようにして、画像生成部２４は、不動産情報画像Ｐ２を生成する。
【０１１２】
次に、図１０に示したように、処理部２０は、全ての不動産情報画像Ｐ１に対する処理を終了したか否かを確認する（ステップＳ１０８）。全ての不動産情報画像Ｐ１に対する処理をまだ終了していない場合（ステップＳ１０８において“Ｎ”）には、ステップＳ１０２に戻り、全ての不動産情報画像Ｐ１に対する処理を終了するまでステップＳ１０２〜Ｓ１０８を繰り返す。
【０１１３】
全ての不動産情報画像Ｐ１に対する処理をすでに終了した場合（ステップＳ１０８において“Ｙ”）には、次に、画像生成部２４のプレビュー処理部２４４は、ステップＳ１０７において生成された不動産情報画像Ｐ２を、表示部１４にプレビュー表示させる（ステップＳ１０９）。図１４に示した表示画像３１０のプレビュー表示部３１２には、図１８に示したように、ステップＳ１０７において生成された不動産情報画像Ｐ２が表示される。表示画像３１０（図１４）において、“ＯＫ”ボタン３１３は、プリント動作に進むためのボタンであり、“キャンセル”ボタン３１４は、以上の処理結果を破棄するためのボタンである。
【０１１４】
以上で、このフローは終了する。そして、ステップＳ１０９の表示画像３１０（図１４）において“ＯＫ”ボタン３１３が操作された場合には、多機能周辺装置１０の画像形成部１６は、制御部１９からの指示に基づいて、このフローにより生成された不動産情報画像Ｐ２を記録媒体に形成する。
【０１１５】
以上のように、情報処理システム１では、物件情報画像Ｐ２１および共通物件情報画像ＰＣ（共通情報画像Ｐ２３および地図画像Ｐ２４）に基づいて不動産情報画像Ｐ２を生成するようにしたので、これらの物件がどのような物件であるかを、不動産を借りたい人や買いたい人が直感的に把握できる。すなわち、例えば、不動産情報画像Ｐ２が共通物件情報画像ＰＣを含まない場合には、例えば不動産を借りたい人は、各物件情報画像Ｐ２１を詳細に確認し、各不動産物件の特徴を把握する。そして、不動産を借りたい人は、複数の不動産物件を比較して、物件情報のうちのどの情報が共通しており、どの情報に差があるのかを確認しながら、自分が借りたい物件を選択する。一方、情報処理システム１では、不動産情報画像Ｐ２が共通物件情報画像ＰＣを含むようにしたので、不動産を借りたい人は、共通物件情報画像ＰＣを確認することにより、複数の不動産物件に共通する情報を直感的に把握できる。よって、不動産を借りたい人は、主に、物件情報のうちのどの情報に差があるかを詳細に確認しながら、自分が借りたい物件を選択することができるため、利便性を高めることができる。
【０１１６】
［効果］
以上のように本実施の形態では、物件情報画像および共通物件情報画像に基づいて不動産情報画像Ｐ２を生成するようしたので、不動産情報画像Ｐ２が共通物件情報画像ＰＣを含むようにしたので、画像に含まれる情報を把握しやすくすることができる。
【０１１７】
［変形例１］
上記実施の形態では、処理部２０は、パターン認識部２２２が、物件情報画像Ｐ１１から物件詳細情報ＩＤを抽出したが、これに限定されるものではない。以下に、本変形例について詳細に説明する。
【０１１８】
本変形例に係る情報処理システム１Ａは、物件情報サーバ装置９と、多機能周辺装置１０Ａとを備えている。この物件情報サーバ装置９の不動産情報データベース９ＤＢに登録された不動産情報ＩＮＦは、不動産情報画像Ｐ１に加え、その不動産情報画像Ｐ１に対応する物件データＤＴを含んでいる。この物件データＤＴは、例えば、不動産情報画像Ｐ１が示す不動産物件の価格（賃料、販売価格など）、所在地、最寄駅などの詳細な情報を含んでいる。
【０１１９】
本変形例に係る多機能周辺装置１０Ａは、この物件情報サーバ装置９から、不動産情報画像Ｐ１に加え、その不動産情報画像Ｐ１に対応する物件データＤＴをも取得し、不動産情報画像Ｐ１および物件データＤＴに基づいて、物件詳細情報ＩＤを生成するようになっている。多機能周辺装置１０Ａは、不動産情報取得部１７Ａと、記憶部１８Ａと、処理部２０Ａとを有している。
【０１２０】
不動産情報取得部１７Ａは、多機能周辺装置１０Ａが送信した検索キーワードに基づいて物件情報サーバ装置９から供給された不動産情報ＩＮＦ（不動産情報画像Ｐ１および物件データＤＴ）を取得するものである。
【０１２１】
図１９は、記憶部１８Ａが記憶する情報の一例を表すものである。記憶部１８Ａは、物件データＤＴを記憶する。物件データＤＴは、不動産情報取得部１７Ａにより物件情報サーバ装置９から取得され、記憶部１８Ａに記憶される。
【０１２２】
図２０は、多機能周辺装置１０Ａにおける処理部２０Ａの一構成例を表すものである。処理部２０Ａは、画像抽出部２２Ａを有している。画像抽出部２２Ａは、パターン認識部２２２Ａと、物件詳細情報生成部２２４Ａとを有している。パターン認識部２２２Ａは、物件情報画像抽出部２２１が抽出した物件情報画像Ｐ１１に対してパターン認識処理を行うことにより、例えば、外観写真、室内の写真、間取り図、地図、詳細な情報を記載した表などのうちのどの情報を含んでいるかを、大まかに判別するものである。これにより、パターン認識部２２２Ａは、例えば、地図を含んでいるか否かを把握するようになっている。物件詳細情報生成部２２４Ａは、パターン認識部２２２Ａのパターン認識結果、および物件データＤＴに基づいて、物件詳細情報ＩＤを生成するものである。
【０１２３】
本変形例に係る多機能周辺装置１０Ａでは、物件詳細情報生成部２２５Ａは、パターン認識部２２２Ａのパターン認識結果、および物件データＤＴに基づいて、物件詳細情報ＩＤを生成したが、これに限定されるものではない。これに代えて、例えば、パターン認識部２２２Ａを省き、物件詳細情報生成部２２４Ａが、物件データＤＴに基づいて、物件詳細情報ＩＤを生成してもよい。
【０１２４】
［変形例２］
上記実施の形態では、図３（Ｂ），（Ｃ）、図５Ａ〜５Ｃに示したように、共通情報画像Ｐ２３や地図画像Ｐ２４などの共通物件情報画像ＰＣを配置する領域を、物件情報画像Ｐ２１を配置する領域とは別に設けたが、これに限定されるものではない。
【０１２５】
図２１は、本変形例に係る多機能周辺装置１０Ｂの一動作例を表すものであり、（Ａ）は多機能周辺装置１０Ｂが受信した不動産情報画像Ｐ１の一例を示し、（Ｂ）は多機能周辺装置１０Ｂが生成した不動産情報画像Ｐ２の一例を示す。
【０１２６】
図２１（Ａ）に示したように、この例では、多機能周辺装置１０Ｂは、４枚の不動産情報画像Ｐ１を受信している。４つの物件情報画像Ｐ１１（Ｐ１１Ａ，Ｐ１１Ｂ，Ｐ１１Ｃ，Ｐ１１Ｄ）のうちの物件情報画像Ｐ１１Ａは、間取り図（情報Ｗ２）、地図（情報Ｗ３）、および詳細な情報（情報Ｗ４）を含んでいる。この地図（情報Ｗ３）の画像には、物件情報画像Ｐ１１Ａが示す不動産物件の所在地が記載されている。この例では、これらの４つの物件情報画像Ｐ１１が示す不動産物件の所在地は、互いに近いものである。多機能周辺装置１０Ｂは、このような４枚の不動産情報画像Ｐ１に基づいて、不動産情報画像Ｐ２を生成する（図２１（Ｂ））。この不動産情報画像Ｐ２は、４つの物件情報画像Ｐ２１（Ｐ２１Ａ，Ｐ２１Ｂ，Ｐ２１Ｃ，Ｐ２１Ｄ）を含んでいる。物件情報画像Ｐ２１Ａ，Ｐ２１Ｂ，Ｐ２１Ｃ，Ｐ２１Ｄは、物件情報画像Ｐ１１Ａ，Ｐ１１Ｂ，Ｐ１１Ｃ，Ｐ１１Ｄにそれぞれ対応している。物件情報画像Ｐ２１Ａは、間取り図（情報Ｗ２）、地図（情報Ｗ５）、および詳細な情報（情報Ｗ４）を含んでいる。この地図（情報Ｗ５）の画像には、４つの不動産物件の所在地が記載されている。すなわち、これらの４つの物件情報画像Ｐ１１が示す不動産物件の所在地は、互いに近いので、多機能周辺装置１０Ｂは、地図情報サーバ装置７から、４つの不動産物件の所在地が記載された地図画像Ｐ２４を取得し、物件情報画像Ｐ２１Ａの地図の画像をこの地図画像Ｐ２４に置き換えている。
【０１２７】
この例では、物件情報画像Ｐ２１Ａに含まれる地図の画像を地図画像Ｐ２４に置き換えたが、物件情報画像Ｐ２１Ｂ〜Ｐ２１Ｄもまた地図の画像を含む場合には、例えば、これらの物件情報画像Ｐ２１Ｂ〜Ｐ２１Ｄに含まれる地図の画像も同様に、地図画像Ｐ２４に置き換えてもよいし、例えば、図２２Ａに示したように、これらの地図の画像を削除してもよい。さらに、例えば図２２Ｂに示したように、物件情報画像Ｐ２１Ｂ〜Ｐ２１Ｄにおいて情報を拡大し、あるいは情報の再配置を行ってもよい。この例では、詳細な情報（情報Ｗ６）を、図２２Ａの例に比べて、拡大して配置している。このように、地図の画像を削除したことにより得られたスペースを有効活用することにより、情報を把握しやすくすることができる。
【０１２８】
［変形例３］
上記実施の形態では、例えば、図５Ａ，５Ｃに示したように、地図画像Ｐ２４を配置する領域を、物件情報画像Ｐ２１を配置する領域とは別に設けた。その際、物件情報画像Ｐ２１に地図の画像が含まれる場合には、これらの地図の画像を削除してもよい。さらに、物件情報画像Ｐ２１において情報を拡大し、あるいは情報の再配置を行ってもよい。このように、地図の画像を削除したことにより得られたスペースを有効活用することにより、情報を把握しやすくすることができる。
【０１２９】
［その他の変形例］
また、これらの変形例のうちの２以上を組み合わせてもよい。
【０１３０】
以上、実施の形態およびいくつかの変形例を挙げて本技術を説明したが、本技術はこれらの実施の形態等には限定されず、種々の変形が可能である。
【０１３１】
例えば、上記実施の形態では、本技術を多機能周辺装置１０に適用したが、これに限定されるものではない。これに代えて、例えば、図２３に示す情報処理システム１Ｃのように、本技術をパーソナルコンピュータ３０に適用してもよい。この情報処理システム１Ｃは、パーソナルコンピュータ３０と、画像形成装置６とを備えている。
【０１３２】
パーソナルコンピュータ３０は、ネットワーク通信部３１と、通信部３２と、操作部３３と、表示部３４と、記憶部３８と、制御部３９とを有している。ネットワーク通信部３１は、上記実施の形態に係るネットワーク通信部１１と同様に、ネットワーク通信を行うものである。通信部３２は、例えばＵＳＢ（Universal Serial Bus）を用いて通信を行うものであり、この例では、画像形成装置６との間で通信を行うようになっている。操作部３３は、例えば、キーボード、マウス、タッチパネルなどを用いて構成されるものである。表示部３４は、例えば、液晶ディスプレイを用いて構成されるものである。記憶部３８は、例えば、ＲＡＭ、ＨＤＤ（Hard Disk Drive）、ＳＳＤ（Solid State Drive）などを含んで構成されるものである。この記憶部３８は、上記実施の形態に係る記憶部１８と同様の情報（図６）を記憶している。制御部３９は、例えば、ＣＰＵ（Central Processing Unit）を含んで構成されるものである。制御部３９は、不動産情報取得部３７と、処理部４０とを有している。不動産情報取得部３７および処理部４０は、上記実施の形態に係る不動産情報取得部１７および処理部２０にそれぞれ対応するものであり、例えばソフトウェアにより構成されている。
【０１３３】
画像形成装置６は、パーソナルコンピュータ３０から供給された印刷データに基づいて、記録媒体に画像を形成するものである。
【０１３４】
パーソナルコンピュータ３０は、上記実施の形態に係る多機能周辺装置１０と同様に、不動産情報画像Ｐ２を生成する。具体的には、不動産情報取得部３７は、例えば、操作部３３や表示部３４を用いて、ユーザに、検索キーワードを入力させ、ネットワーク通信部３１は、この検索キーワードを、物件情報サーバ装置９に送信する。物件情報サーバ装置９は、その検索キーワードに基づいて不動産情報ＩＮＦを選択し、選択した不動産情報ＩＮＦを多機能周辺装置１０に送信する。パーソナルコンピュータ３０のネットワーク通信部３１は、不動産情報ＩＮＦ（不動産情報画像Ｐ１）を受信し、記憶部３８は、不動産情報画像Ｐ１を記憶する。処理部４０は、不動産情報画像Ｐ１に基づいて不動産情報画像Ｐ２を生成する。そして、制御部３９は、この不動産情報画像Ｐ２についての印刷データを生成し、通信部３２が、この印刷データを画像形成装置６に送信する。その結果、画像形成装置６は、この印刷データに基づいて記録媒体に画像を形成する。
【０１３５】
この例では、不動産情報画像Ｐ２を記録媒体に印刷したが、これに限定されるものではない。例えば、制御部３９が、不動産情報画像Ｐ２に基づいてＰＤＦ（Portable Document Format）ファイルを生成し、このＰＤＦファイルを、不動産を借りたい人や買いたい人に提示してもよい。また、このＰＤＦファイルを、インターネットのホームページに掲示してもよい。この場合、制御部３９は、本発明における「画像形成部」の一具体例に対応する。また、例えば、不動産情報画像Ｐ２を、表示部３４に表示してもよい。具体的には、例えば、不動産業者の店頭にこの表示部３４を設置することにより、デジタルサイネージを実現することができ、不動産を借りたい人や買いたい人に不動産物件を提示することができる。この場合、表示部３４は、本発明における「画像形成部」の一具体例に対応する。また、この例では、本技術をパーソナルコンピュータ３０に適用したが、これに限定されるものではなく、これに代えて、例えば、スマートフォンや、タブレットなどに適用してもよい。
【符号の説明】
【０１３６】
１，１Ｃ…情報処理システム、６…画像形成装置、７…地図情報サーバ装置、８…物件情報登録装置、９…物件情報サーバ装置、９ＤＢ…不動産情報データベース、１０…多機能周辺装置、１１…ネットワーク通信部、１２…ＦＡＸ通信部、１３…操作部、１４…表示部、１５…画像読取部、１６…画像形成部、１７…不動産情報取得部、１８…記憶部、１９…制御部、２０，２０Ａ…処理部、２１…設定部、２２，２２Ａ…画像抽出部、２３…領域解析部、２４…画像生成部、２５…処理制御部、３０…パーソナルコンピュータ、３１…ネットワーク通信部、３２…通信部、３３…操作部、３４…表示部、３７…不動産情報取得部、３８…記憶部、３９…制御部、４０…処理部、２１１…論理ページサイズ選択部、２１２…画像数設定部、２１３…業者情報画像選択部、２１４…レイアウト情報選択部、２１５…共通情報解析設定部、２２１…物件情報画像抽出部、２２２，２２２Ａ…パターン認識部、２２３…共通物件情報生成部、２２４Ａ…物件詳細情報生成部、２３１…出力ページ領域解析部、２３２…業者情報領域解析部、２３３…物件情報領域解析部、２４１…共通情報画像生成部、２４２…画像編集部、２４３…画像配置部、２４４…プレビュー処理部、ＩＣ…共通物件情報、ＩＤ…物件詳細情報、ＩＬ…レイアウト情報、ＬＰ…論理ページ、Ｎ…画像数、Ｐ１，Ｐ２…不動産情報画像、Ｐ１１，Ｐ２１…物件情報画像、Ｐ１２，Ｐ２２…業者情報画像、Ｐ２３…共通情報画像、Ｐ２４…地図画像、ＰＣ…共通物件情報画像、ＲＰ…出力ページ領域、Ｒ１…物件情報領域、Ｒ２…業者情報領域、Ｒ１０〜Ｒ１４…領域。
【図１】
2018121166.tif 000003
【図２】
2018121166.tif 000004
【図３】
2018121166.tif 000005
【図４】
2018121166.tif 000006
【図５Ａ】
2018121166.tif 000007
【図５Ｂ】
2018121166.tif 000008
【図５Ｃ】
2018121166.tif 000009
【図５Ｄ】
2018121166.tif 000010
【図６】
2018121166.tif 000011
【図７】
2018121166.tif 000012
【図８】
2018121166.tif 000013
【図９Ａ】
2018121166.tif 000014
【図９Ｂ】
2018121166.tif 000015
【図１０】
2018121166.tif 000016
【図１１】
2018121166.tif 000017
【図１２】
2018121166.tif 000018
【図１３】
2018121166.tif 000019
【図１４】
2018121166.tif 000020
【図１５】
2018121166.tif 000021
【図１６】
2018121166.tif 000022
【図１７】
2018121166.tif 000023
【図１８】
2018121166.tif 000024
【図１９】
2018121166.tif 000025
【図２０】
2018121166.tif 000026
【図２１】
2018121166.tif 000027
【図２２Ａ】
2018121166.tif 000028
【図２２Ｂ】
2018121166.tif 000029
【図２３】
2018121166.tif 000030